(57)【特許請求の範囲】
【請求項１】
携帯端末と上記携帯端末とは独立して設けられ上記携帯端末との間で通信する認証装置とから構成され、所定のネットワークを介して行われる信用販売制度、口座間即時決済及び電子商取引において、サービス提供者が所定のサービスを提供するサービス利用者を認証する認証システムにおいて、
上記携帯端末は、上記サービス提供者が上記サービス利用者に対して発行するカード形状を呈する携帯端末であり、
上記携帯端末を識別するための第１の識別情報が予め記憶された第１の識別情報記憶手段と、
上記第１の識別情報に対応付けられた第２の識別情報を入力するための操作手段と、
上記操作手段によって入力された第２の識別情報を所定の文字数の乱数である暗号生成情報に基づいて暗号化する暗号化手段と、
上記認証装置との通信を行う第１の通信手段と
を備え、
上記認証装置は、上記サービス提供者が上記サービス利用者の利用情報を認証するためのホストコンピュータに含まれており、
上記第１の識別情報と上記第２の識別情報とが記憶される第２の識別情報記憶手段と、
上記暗号生成情報を発生する暗号生成情報発生手段と、
上記携帯端末との通信を行う第２の通信手段と、
上記暗号化手段によって暗号化された上記第２の識別情報を上記暗号生成情報に基づいて比較し認証する比較認証手段と
を備え、
上記携帯端末において、上記操作手段は、上記第２の識別情報を入力するための複数の文字入力部を備え、上記文字入力部の配置位置が可変とされており、
上記携帯端末において、上記操作手段により入力された第２の識別情報を上記第１の通信手段を介して上記認証装置から受信した上記暗号生成情報に基づいて暗号化し、上記暗号化された第２の識別情報を上記第１の通信手段を介して上記認証装置に送信し、該認証装置において、上記第２の通信手段を介して受信した上記暗号化された第２の識別情報と上記第２の識別情報記憶手段に記憶された第２の識別情報とを上記暗号生成情報に基づいて比較し、上記携帯端末と、この携帯端末の所有者が真の所有者であることとを認証することによって、上記サービス利用者を認証する認証システム。
【請求項２】
上記第１の通信手段及び上記第２の通信手段は、有線通信手段又は無線通信手段である請求項１記載の認証システム。
【請求項３】
上記携帯端末において、上記操作手段は、文字を表示する表示部と上記表示部に表示された文字を選択するための選択部とを備え、上記操作手段において入力される第２の識別情報は、上記表示部に次々に表示された複数の文字の中から上記選択部により選択された文字列で構成される請求項１記載の認証システム。
【請求項４】
所定のネットワークを介して行われる信用販売制度、口座間即時決済及び電子商取引において、サービス提供者が所定のサービスを提供するサービス利用者を認証するための認証方法であって、携帯端末とこの携帯端末とは独立して設けられた認証装置との間で上記認証装置が上記携帯端末を認証する認証方法において、
上記携帯端末は、上記サービス提供者が上記サービス利用者に対して発行するカード形状を呈する携帯端末であり、
上記認証装置は、上記サービス提供者が上記サービス利用者の利用情報を認証するためのホストコンピュータに含まれる認証装置であり、
第１の識別情報記憶手段に予め記憶された上記携帯端末を識別するための第１の識別情報に対応付けられた第２の識別情報を入力する上記携帯端末の操作手段が、上記第２の識別情報を入力する操作工程と、
上記認証装置の暗号生成情報発生手段が、所定の文字数の乱数である暗号生成情報を発生する暗号生成情報発生工程と、
上記携帯端末の暗号化手段が、上記操作工程において入力された第２の識別情報を上記暗号生成情報発生工程において発生された暗号生成情報に基づいて暗号化する暗号化工程と、
上記携帯端末の第１の通信手段が、上記暗号化された第２の識別情報を上記認証装置に送信する送信工程と、
上記認証装置の第２の通信手段が、上記第１の通信手段から送信された上記暗号化された第２の識別情報を受信する受信工程と、
上記認証装置の比較認証手段が、上記第２の通信手段が受信した上記暗号化された第２の識別情報と、上記認証装置の第２の識別情報記憶手段に記憶された第２の識別情報とを上記暗号生成情報発生手段が発生した暗号生成情報に基づいて比較し、上記携帯端末と、この携帯端末の所有者が真の所有者であることとを認証することによって、上記サービス利用者を認証する比較認証工程と
を備え、
上記操作手段は、配置が可変とされた上記第２の識別情報を入力するための複数の文字入力部を備え、
上記操作工程は、上記複数の文字入力部が、上記第２の識別情報を入力する文字入力工程を含み、
上記文字入力工程では、上記複数の文字入力部が、上記第２の識別情報を入力する認証方法。
【請求項５】
上記第１の通信手段及び上記第２の通信手段は、有線通信手段又は無線通信である請求項４記載の認証方法。
【請求項６】
上記携帯端末において、上記操作手段は、文字を表示する表示部と上記表示部に表示された文字を選択するための選択部とを備え、
上記操作工程は、上記表示部が文字を表示する表示工程と、上記選択部が上記表示工程において表示された文字を選択する選択工程とを含み、上記操作工程において入力される第２の識別情報は、上記表示工程において次々に表示された複数の文字の中から上記選択工程において選択された文字列で構成される請求項４記載の認証方法。
【発明の詳細な説明】
【０００１】
【発明の属する技術分野】
本発明は、認証システム及び認証方法に関し、特に、サービス提供者が利用者を認証する過程において、第三者が利用者の個人情報を不正に取得することを困難にする認証システム及び認証方法に関する。
【０００２】
【従来の技術】
従来、利用者があるサービス対象を利用する権限を有しているか否かを認識する基本的な方法としては、サービス提供者が利用者に対して予め物理的なチケットやメンバーズカードを発行し、サービスを享受する時点でチケットやメンバーズカードを確認することで認証とする方法が採られてきた。
【０００３】
例えば、クレジットカードに代表される信用販売制度において、サービス提供者は、利用者によって提示されたカードに記録されたカード情報、すなわち本人情報によって利用者を確認し信用取引を行っている。この場合、利用者の認証は、利用者が所有するクレジットカードをカードリーダに読ませるだけで利用者を認証できる。
【０００４】
また、クレジット（貸方）とは反対の意味をもつ、いわゆるデビット（借方）決済も１つの決済方法として定着しつつある。デビット決済サービスでは、利用者は、販売時点情報管理端末（以下、ＰＯＳと記す。）に銀行のキャッシングカードを挿入し暗証番号と金額とを入力する。このとき、利用者の口座から即時に代金が引き落とされ精算ができる。
【０００５】
また、いわゆるインターネットの発達に伴って、利用者は、インターネットを介して物品を購入し、さらに決済することもできる。例えば、利用者は、クレジットカードの所定情報等をサービス提供者に送信するだけで決済することができる。
【０００６】
【発明が解決しようとする課題】
ところが、上述した従来の決済方法では、認証手続きの信頼性が低く、一連の認証手続きの随所において、第三者にカード情報を不正に取得されるおそれがあった。
【０００７】
例えば、クレジットカードの認証手続きは、このカードを所定のカードリーダに読み込ませるだけである。利用者がある店で買い物をしたときの決済にクレジットカードを使用する場合には、利用者は、買い物をした後、決済手続のために自分のクレジットカードを店員に手渡す。このとき店員は、クレジットカードの情報を記憶できる別のカードリーダにこのカードの情報を読み込ませることもできるし、また、この間にカードをすり替えることもできる。つまり、カードに記憶された個人情報等が第三者によって不正取得（スキミング）される可能性が大きかった。
【０００８】
特に、インターネットの場合では、利用者がサービス提供者に対してクレジットカードの所定情報等を送信するだけで決済できることが多い。従来では、通信過程で第三者によって盗聴され、クレジットカードの情報が盗まれるおそれもあった。また、インターネットの場合、サービス提供者と利用者との直接的なコンタクトが無いため、決済のための通信課程で第三者がカード所有者本人になりすまして虚偽の決済を不正に行ったり、第三者によって決済データ等を改竄される危険性もあるため、信頼性に乏しいという問題点があった。
【０００９】
また、デビット決済では、キャッシングカードは、ＰＯＳに挿入される。利用者は、ＰＯＳの入力手段を通じて暗証番号を入力するため、例えば、ＰＯＳの入力手段等に細工がされていた場合、第三者による暗証番号の不正取得が可能である。或いは、ＰＯＳの入力手段の周辺に人目を隔てるような遮蔽手段等が設置されていない場合には、単にカード利用者が暗証番号を入力しているところを盗み見ることによっても、第三者による暗証番号の不正取得は容易に可能となる。そして、暗証番号がスキミングされた上でカードを盗まれたり、カードをすり替えられたりすれば、カード所有者本人が気付くまで不正利用が繰り返されるおそれがあった。
【００１０】
以上のように上述したサービスシステムには信頼性に関する様々な技術的問題点があり、事業（ビジネス）の観点からこの問題をみると、この信頼性上の問題が利用者にとってサービス利用に対する大きな不安感をもたらしている。その結果、ＰＯＳの設置等に多大な設備投資が必要なのにも関わらず利用者数が伸びずに事業の採算がとれないという問題を生んでいる。
【００１１】
そこで本発明は、このような従来の実情に鑑みて提案されたものであり、サービス提供者が利用者を認証する過程において、第三者が利用者の個人情報を不正に取得することが困難な認証システム及び認証方法を提供することを目的とする。そして、さらに、利用者のサービス利用に対する大きな不安感を払拭し、利用者の拡大を促し、事業としての採算性を向上する認証システム及び認証方法を提供することを目的とする。
【００１２】
【課題を解決するための手段】
本発明は、携帯端末と携帯端末とは独立して設けられ携帯端末との間で通信する認証装置とから構成され、所定のネットワークを介して行われる信用販売制度、口座間即時決済及び電子商取引において、サービス提供者が所定のサービスを提供するサービス利用者を認証する認証システムにおいて、携帯端末は、サービス提供者が上記サービス利用者に対して発行するカード形状を呈する携帯端末であり、携帯端末を識別するための第１の識別情報が予め記憶された第１の識別情報記憶手段と、第１の識別情報に対応付けられた第２の識別情報を入力するための操作手段と、操作手段によって入力された上記第２の識別情報を所定の暗号生成情報に基づいて暗号化する暗号化手段と、認証装置との通信を行う第１の通信手段とを備え、認証装置は、サービス提供者がサービス利用者の利用情報を認証するためのホストコンピュータに含まれており、第１の識別情報と第２の識別情報とが記憶される第２の識別情報記憶手段と、暗号生成情報を発生する暗号生成情報発生手段と、携帯端末との通信を行う第２の通信手段と、暗号化手段によって暗号化された第２の識別情報を暗号生成情報に基づいて比較し、携帯端末と、この携帯端末の所有者が真の所有者であることとを認証することによって、サービス利用者を認証する比較認証手段とを備える。
【００１３】
以上のような認証システムは、携帯端末において、操作手段は、第２の識別情報を入力するための複数の文字入力部を備え、文字入力部の配置位置が可変とされており、携帯端末において、操作手段により入力された第２の識別情報を第１の通信手段を介して認証装置から受信した暗号生成情報に基づいて暗号化し、暗号化された第２の識別情報を第１の通信手段を介して認証装置に送信し、該認証装置において、第２の通信手段を介して受信した暗号化された第２の識別情報と第２の識別情報記憶手段に記憶された第２の識別情報とを暗号生成情報に基づいて比較し認証することにより、上述の目的を達成する。
【００１４】
また、本発明は、所定のネットワークを介して行われる信用販売制度、口座間即時決済及び電子商取引において、サービス提供者が所定のサービスを提供するサービス利用者を認証するための認証方法であって、携帯端末とこの携帯端末とは独立して設けられた認証装置との間で上記認証装置が上記携帯端末を認証する認証方法において、携帯端末は、サービス提供者がサービス利用者に対して発行するカード形状を呈する携帯端末であり、認証装置は、サービス提供者がサービス利用者の利用情報を認証するためのホストコンピュータに含まれる認証装置であり、第１の識別情報記憶手段に予め記憶された携帯端末を識別するための第１の識別情報に対応付けられた第２の識別情報を入力する携帯端末の操作手段が、第２の識別情報を入力する操作工程と、認証装置の暗号生成情報発生手段が、所定の文字数の乱数である暗号生成情報を発生する暗号生成情報発生工程と、携帯端末の暗号化手段が、操作工程において入力された第２の識別情報を暗号生成情報発生工程において発生された暗号生成情報に基づいて暗号化する暗号化工程と、携帯端末の第１の通信手段が、暗号化された第２の識別情報を認証装置に送信する送信工程と、認証装置の第２の通信手段が、第１の通信手段から送信された暗号化された第２の識別情報を受信する受信工程と、認証装置の比較認証手段が、第２の通信手段が受信した暗号化された第２の識別情報と、認証装置の第２の識別情報記憶手段に記憶された第２の識別情報とを暗号生成情報発生手段が発生した暗号生成情報に基づいて比較し、携帯端末と、この携帯端末の所有者が真の所有者であることとを認証することによって、サービス利用者を認証する比較認証工程とを備え、操作手段は、配置が可変とされた第２の識別情報を入力するための複数の文字入力部を備え、操作工程は、複数の文字入力部が、第２の識別情報を入力する文字入力工程を含み、文字入力工程では、複数の文字入力部が、第２の識別情報を入力する。
【００１５】
以上のような認証方法では、操作工程において入力された第２の識別情報が暗号化工程において暗号生成情報に基づいて暗号化され、暗号化された第２の識別情報と第２の識別情報記憶手段に記憶された第２の識別情報とが暗号生成情報に基づいて比較され認証されることにより、上述の目的が達成される。
【００２２】
さらにまた、本発明に係る認証システムは、携帯端末と携帯端末とは独立して設けられ携帯端末との間で通信する認証装置とから構成される認証システムにおいて、携帯端末は、携帯端末を識別するための第１の識別情報が記憶された第１の識別情報記憶手段と、所定の文字群に含まれる文字を不規則に表示する表示手段と表示手段に不規則に表示される文字のなかから第２の識別情報を構成する文字を選択するための選択手段とを有し、第１の識別情報に対応付けられた第２の識別情報を入力するための操作手段と、操作手段によって入力された第２の識別情報を所定の暗号生成情報に基づいて暗号化する暗号化手段と、認証装置との通信を行う第１の通信手段とを備え、認証装置は、第１の識別情報と第２の識別情報とを記憶した第２の識別情報記憶手段と、暗号生成情報を発生する暗号生成情報発生手段と、携帯端末との通信を行う第２の通信手段と、暗号化手段によって暗号化された第２の識別情報を暗号生成情報に基づいて比較し認証する比較認証手段とを備える。
【００２３】
以上のような認証システムは、操作手段により入力された第２の識別情報を第１の通信手段を介して認証装置から受信した暗号生成情報に基づいて暗号化し、暗号化された第２の識別情報を第１の通信手段を介して認証装置に送信し、該認証装置において、第２の通信手段を介して受信した暗号化された第２の識別情報と第２の識別情報記憶手段に記憶された第２の識別情報とを暗号生成情報に基づいて比較し認証することにより、上述した目的を達成する。
【００２４】
【発明の実施の形態】
本発明の一構成例として示す認証システムは、携帯端末と携帯端末とは独立して設けられ携帯端末との間で通信する認証装置とから構成される認証システムである。
【００２５】
本発明の一構成例として示す認証システムに適用される携帯端末は、少なくとも、携帯端末を識別するためにサービスの提供者から予め付与された第１の識別情報が記憶された第１の識別情報記憶部と、第１の識別情報に対応付けられた第２の識別情報を入力するための操作部と、操作部によって入力された第２の識別情報を所定の暗号生成情報に基づいて暗号化する暗号化部と、認証装置との通信を行う第１の通信部とを備えている。また、認証装置は、少なくとも、第１の識別情報と第２の識別情報とが記憶される第２の識別情報記憶部と、暗号生成情報を発生する暗号生成情報発生部と、携帯端末との通信を行う第２の通信部と、暗号化部によって暗号化された第２の識別情報を暗号生成情報に基づいて比較し認証する比較認証部とを備えている。上述の携帯端末と認証装置との間では有線通信又は無線通信によって接続されることで情報の送受信が行われる。
【００２６】
これら携帯端末と認証装置によって構成される認証システムは、携帯端末において、操作部により入力された第２の識別情報を認証装置から受信した暗号生成情報に基づいて暗号化し、暗号化された第２の識別情報を認証装置に送信し、認証装置において、受信した暗号化された第２の識別情報と第２の識別情報記憶部に記憶された第２の識別情報とを暗号生成情報に基づいて比較し認証することによって、サービスの提供者が利用者を認証するまでの過程において、第三者が利用者の個人情報を不正に取得することを困難にする認証システムである。
【００２７】
このような本発明に係る認証システムは、例えば、専用のネットワークを介して行われる信用販売制度（クレジットカードサービス）及び口座間即時決済（デビットカードサービス）、又はインターネットのような任意のネットワークを介して行われる電子商取引において、サービス提供者が所定のサービスを提供する利用者を認証するための認証システムとして適用することができる。この場合、携帯端末は、サービス提供者がサービス利用者に対して発行するカード形状を呈する端末であり、認証装置は、サービス提供者がサービス利用者の利用者情報を認証するためのホストコンピュータに含まれる認証装置に相当する。携帯端末としては、カード状端末のほかにＰＤＡ（Personal Digital Assistant）、携帯型電話機、携帯型ＰＣ等が適用できる。
【００２８】
本発明に係る認証システムにおいて、認証装置が携帯端末とその所有者とを認証する基本的な処理について図１を用いて説明する。
【００２９】
携帯端末の所有者は、携帯端末を使用して所定のサービスを受けようとするとき、携帯端末に第２の識別情報を入力する（ステップＳ１）。このときの第２の識別情報とは、第１の識別情報に対応付けされて携帯端末の所有者に与えられた、例えば暗証番号のような認証用文字列である。この認証用文字列としての暗証番号及び後述する携帯端末固有の識別情報である第１の識別情報は、予めサービス提供者から付与されたものである。
【００３０】
携帯端末は、第１の識別情報記憶部に記憶された第１の識別情報を認証装置に対して送信する（ステップＳ２）。ここで第１の識別情報は、認証装置が該携帯端末が管理下にあるか否かを示す情報であり、認証装置中に設けられた第２の識別情報記憶部に携帯端末所有者の識別用文字列と対応付けられてともに記憶されている。
【００３１】
続いて、認証装置は、携帯端末から第１の識別情報を取得し、該携帯端末が認証装置の管理下にあることを確認すると、携帯端末に対して、情報を暗号化するための情報（暗号鍵）、例えば、乱数を発生し送信する（ステップＳ３）。ここで発生された乱数は、携帯端末の第１の識別情報に対応付けられて認証装置中に暫定的に記憶される。この乱数は、携帯端末が認証用文字列を認証装置に送信する際に、認証用文字列を暗号化し秘匿するために用いられる。認証用文字列は、携帯端末の暗号化部において所定の規則に基づいて暗号化される。暗号化の規則には、既存の暗号化方法が適用できる。携帯端末は、暗号化された認証用文字列を認証装置に送信する（ステップＳ４）。
【００３２】
認証装置は、携帯端末から暗号化された認証用文字列を受信すると、認証装置中に設けられた第２の認証情報記憶部に第１の識別情報と対応付けられて記憶されている携帯端末所有者の認証用文字列と、携帯端末から送られた暗号化された認証用文字列とを比較する。そして、携帯端末からの認証用文字列が認証装置の第２の識別情報記憶部に記憶された認証用文字列と一致した場合には、例えば、携帯端末に認証用文字列を入力した人物がその携帯端末の真の所有者であることを認証する（ステップＳ５）。
【００３３】
また、第２の認証情報記憶部に第１の識別情報と対応付けられて記憶されている携帯端末所有者の認証用文字列と、暗号化された認証用文字列との比較は、暗号化された認証用文字列を先ず認証装置中に暫定的に記憶しておいた暗号化用の乱数を用いて復号した後、その結果を認証装置に記憶された認証用文字列と比較することによって行われる。或いは、逆に、認証装置に記憶された認証用文字列を乱数によって携帯端末において用いられた暗号化規則と同一の規則により暗号化し、その結果を携帯端末からの暗号化された認証用文字列と比較してもよい。このように、携帯端末の所有者が所定のサービスを受けようとする毎に乱数を発生させ、この乱数に基づいて暗号化することにより、携帯端末から送信される暗号化された認証用文字列は、常に異なった符号で表現されるために、秘匿性がより高まる。
【００３４】
携帯端末は、認証装置によって認証されると記憶された認証用文字列を消去する。認証装置は、認証された携帯端末に対して、所定の処理を実行する（ステップＳ６）。
【００３５】
上述の処理において、携帯端末と認証装置とが接続されるタイミングは、限定されない。すなわち、携帯端末は、まず認証用文字列が入力された状態で認証装置に接続されてもよいし、第一段階としてまず認証装置に接続されて乱数を取得した後、一旦接続が解除され認証用文字列が入力された後、再度接続がなされてもよい。
【００３６】
本発明に係る認証システムでは、以上の処理によって、認証装置が携帯端末を認証している。本発明に係る認証システムでは、携帯端末は、所有者によって、例えば暗証番号のような認証用文字列が入力されなければ、単体で認証装置に認証されることはできないようになっているため、第三者が携帯端末だけを用いて不正行為を働くことができないようになっている。しかし、所有者が携帯端末に認証用文字列を入力する際には高い秘匿性が要求されることには変わりない。
【００３７】
そのため、本発明に係る認証システムでは、暗証番号としての認証用文字列の入力部は、所定の文字群に含まれる文字を不規則に表示する表示部と、表示部に不規則に表示される文字のなかから認証用文字列を構成する文字を選択するための選択部を備える構成とされている。例えば、表示部では、０から９で表される１０個の数字該表示部の任意の位置に０から９で表される１０個の数字を不規則に表示される。更に、携帯端末は、該携帯端末内に認証装置との間の認証に使用される認証用文字列が保持されないために秘匿性が高められている。
【００３８】
このように本発明に係る認証システムは、認証装置が該携帯端末が認証装置に管理されるか否かを認証する際に、認証装置（サービスの提供者）が携帯端末（利用者）を認証するまでの過程において、第三者がカード情報や端末情報を不正取得することを困難にすることを実現した認証システムである。
【００３９】
特に、本発明に係る認証システムでは、利用者が、例えばクレジット（貸方）カードを用いた信用取引制度、銀行のキャッシュカードを用いたデビット（借方）決済サービスを利用する際に、サービスの提供者或いは利用者に対して物品を販売した販売者が利用者によって提示されたカードに記録された利用者本人の情報を認証し、その認証に基づいて決済する場合を想定している。そのため本実施の形態では、携帯端末は、サービスの提供者から利用者に対して予め発行される「カード」として示す。また、サービスは、主に物品購入の際の「決済」を示す。
【００４０】
この携帯端末としてのカードは、従来のこのようなサービスにおける利用者の個人認証に用いられるカードとは異なり、認証用文字列（暗証番号）を入力する入力部と、所定の暗号生成情報に基づいてホストコンピュータに対する認証用情報を生成する情報暗号化部とを備えている点が特徴である。情報暗号化部は、サービスの提供者側の認証装置から送信される所定の暗号生成情報（暗号鍵）、例えば、乱数とカード自身に予め記憶されたカードの認証情報としてのカードＩＤとを混合して符号化し、ホストコンピュータに対する認証用情報を生成する。また、この携帯端末としてのカードの入力部は、利用者が暗証番号を入力する際、十分な秘匿性が確保された入力部とされている。
【００４１】
つまり、この携帯端末としてのカードは、カード所有者によって暗証番号が入力されることが必要であって、カード単体では認証を目的としたカード本来の機能を果たさず、例えば、従来のカードのようにカードリーダで読み取るといった単純な動作のみでは認証装置によって認証されないようになっている。
【００４２】
以下、本発明に係る認証システム１について、図面を参照して詳細に説明する。図２に示すように、認証システム１は、カード１０と認証装置としてのホストコンピュータ２０とが接続線３０で接続されて構成される認証システムである。ホストコンピュータ２０は、カード１０と接続された際、カード１０が該ホストコンピュータ２０が管理するカード１０であるかを判断し、更にカードに記憶されたカード所有者の個人情報等を入手してカード１０とその所有者を認証するものである。
【００４３】
ここで、接続線３０は、ホストコンピュータ３０に接続するための専用回線、または、複数のネットワーク同士を接続して大規模なネットワークとして構成される所謂インターネットである。また、接続線３０を介してホストコンピュータ２０とカード１０とを接続する形態には種々の形態が考えられる。例えば、ホストコンピュータ２０は、カード１０を接続するための接続端末を備え、該接続端末との間で接続線を介して接続される場合も考えられる。この場合は、接続端末とホストコンピュータ２０との間が有線通信又は無線通信で接続される。カードと接続端末との間の接続は、磁気による読み取りや接続端子による接触接続でもよいし、非接触接続であってもよい。
【００４４】
カード１０は、該カードの識別情報であって上述の第１の識別情報に相当するカードＩＤを記憶するためのＩＤ用メモリ１１と、カード所有者によって認証用文字列としての暗証番号の入力等が行われる入力部１２と、ホストコンピュータ２０と接続線３０を介して接続されるカード側インターフェイス１３とを備えている。カードＩＤは、該カードを特定するための情報であってサービス提供者から予め付与されたものである。このカードＩＤは、所有者個人を特定する直接的な情報を示すものではない。入力部１２は、認証用文字列としての暗証番号が入力されるため、第三者によってカード所有者の暗証番号を不正に取得されないような構成とされている。入力部１２についての詳細は、後述する。
【００４５】
カード１０は、更に、情報暗号化部１４と一時記憶部１５と表示部１６とを備えている。情報暗号化部１４は、ホストコンピュータ２０から送られ、送信される毎に固有の値を有する上述した所定の暗号生成情報に相当する乱数と該カードの識別番号としてのカードＩＤとを混合して符号化しホストコンピュータ３０に対する認証用情報を生成している。また、一時記憶部１５には、入力部より入力された暗証番号が一時的に記憶されている。一時記憶部１５に記憶された暗証番号は、認証が終了する毎、または所定時間毎に消去される。表示部１６としては、例えば、液晶表示装置が用いられる。表示部１６は、入力部１２で入力の際に必要となる情報等を表示する。ここで、情報暗号化部１４における暗号化方法としては、種々の暗号化方法が適用可能である。
【００４６】
カード１０において上述した各部は、ＣＰＵ（Central Processing Unit）と該ＣＰＵのワークエリアとしてのＲＡＭ（Random Access Memory）と各種処理を行うためのプログラム等を記憶するＲＯＭ（Read Only Memory）とを有するカード制御部１７によって統括制御されている。また、カード制御部１７は、カードＩＤ及び認証用情報をホストコンピュータ２０へ送信する制御を行うほか、認証用情報として送信された認証用文字列がホストコンピュータ２０に認証されると一時記憶部１５に記憶された暗証番号を消去する。カード制御部１７は、所定時間毎に一時記憶部１５の記憶内容を消去することもできる。
【００４７】
このように、カード１０は、暗証番号をホストコンピュータ２０との通信毎に異なる暗号鍵によって符号化するうえ、入力された暗証番号が該カード内に保持されないため、万が一第三者によって盗難されることがあっても、カード単体ではホストコンピュータ２０に認証されない。
【００４８】
ホストコンピュータ２０は、カード１０と接続線３０を介して接続されるホスト側インターフェイス２１と、乱数を生成する乱数生成部２２と、カード１０のカードＩＤとカードＩＤに対して発行した認証用文字列とを対応付けて保持するカードＩＤ／認証用文字列記憶部２３と、認証用情報を復号してカードの認証情報を抽出する情報復号部２４と、カード１０における情報暗号化部１４によって乱数とカードＩＤとを混合して符号化された認証用情報を発生した乱数に基づいて比較し認証する復号認証用文字列比較認証部２５とを備えている。また、これらの各部は、ＣＰＵと該ＣＰＵのワークエリアとしてのＲＡＭと各種処理を行うためのプログラム等を記憶するＲＯＭとを有するホスト制御部２６によって統括制御されている。また、カードＩＤ／認証用文字列記憶部２３には、乱数生成部２２において生成された乱数を発生したカードＩＤに対応付けて記憶される。
【００４９】
ここで、乱数生成部２２は、所定のタイミングで所定の関数によって暗号鍵を生成するものであればよい。例えば、全方位測位システム（ＧＰＳ）やクロック等から得られた情報に基づいて、所定の関数によってその都度得られた固有の値を暗号鍵とする暗号鍵生成部を用いることもできる。また、ホスト制御部２６は、カードから送られたカードＩＤとともにそのカードに対して発行した乱数を対応付けしてカードＩＤ／認証用文字列記憶部２３に一時的に保持する。更に、ホスト制御部２６は、情報復号部２４を制御して認証用情報からカードの識別情報を抽出し、復号認証用文字列比較認証部２５において比較し認証された場合、カード所有者に対して所定のサービスを提供する。
【００５０】
上述した認証システム１では、カードＩＤ／認証用文字列記憶部２３にカードＩＤと対応付けられて記憶されている携帯端末所有者の認証用文字列と、情報暗号化部１４によって暗号化された認証用文字列（認証用情報）との比較は、暗号化された認証用文字列（認証用情報）を、先ずホストコンピュータ２０に暫定的に記憶しておいた乱数を用いて復号した後、その結果をカードＩＤ／認証用文字列記憶部２３に記憶された認証用文字列と比較することによって行われるが、逆に、カードＩＤ／認証用文字列記憶部２３に記憶された認証用文字列をカード１０において行われる暗号化と同一の規則により暗号化し、その結果をカード１０からの暗号化された認証用文字列（認証用情報）と比較してもよい。
【００５１】
すなわち、認証システム１におけるホストコンピュータ２０は、図３に示すように、情報復号部２４の代わりに情報暗号化部１４と同一の規則により暗号化するホスト側情報暗号化部２７を備え、復号認証用文字列比較認証部２５の代わりに暗号認証用情報文字列比較認証部２８を備える。この場合、カードＩＤ／認証用文字列記憶部２３に記憶された認証用文字列をカード１０において行われる暗号化と同一の規則により暗号化することによって、認証用情報を復号することなく比較し認証できる。
【００５２】
上述したように、カード１０は、入力部１２において所有者からの暗証番号の入力がなされる。そのため入力部１２は、所有者が暗証番号を入力する際、第三者に対して十分な秘匿性が確保されていなければならない。以下、高い秘匿性をもって暗証番号の入力を可能とする入力部１２の具体例を、図４乃至図６に示す。従来、ホストコンピュータ或いはホストコンピュータの接続端末等は、固定された入力部から暗証番号を入力する方法が採られていたが、この場合、入力時に暗証番号を第三者から秘匿することが困難であった。カード１０は、該カードに暗証番号が入力できるためカード所有者が暗証番号を入力する際、任意の場所での入力が可能である。つまり、カード所有者は、暗証番号を入力する場面を第三者の目から保護できる。したがって、入力部１２は、暗証番号入力時の機密性が確保される構成となっている。
【００５３】
図４には第１の実施例として示す入力部１２を備えたカード１０の外観の概略が示されている。図４に示すカード１０において、表示部１６は、該表示部の任意の位置に、その都度不規則に１０個の数字の各々を表示することを特徴としている。また、入力部１２は、例えば、接触された位置を検出し、その位置情報を入力に反映するような接触入力機能を備えた入力部であって、表示部１６の対応位置に重ねて設けられている。
【００５４】
図４では、表示部１６に左上から右下にかけて７，８，４，３，１，５，０，６，２，Ｃ，９，Ｅが表示されている場合が示されている。次回入力の際には、それぞれの数字は、表示部１６の別の位置に表示される。図４に示す「Ｃ」は、選択ボタンを示し、「Ｅ」は、消去ボタンを示している。暗証番号を入力する際、カードの所有者は、表示部１６に不規則に表示される数字のうち所望の数字に触れて暗証番号としての文字列を入力し、入力が終わった時点で「Ｃ」ボタンを押す。「Ｅ」ボタンは、入力した数字を訂正する場合、又は暗証番号として入力した文字列を消去する場合に用いられる。
【００５５】
表示部の所定位置に決められた数字が表示される場合、カード所有者が暗証番号を入力する都度同じ箇所が押される。この場合、回数を重ねて使用するうちに、該入力部１２の摩耗・汚れによって暗証番号として使用している数字が第三者に知られてしまうおそれがある。また、入力時に数字を指す指の動き等によっても暗証番号が明らかになるおそれがあるが、図４に示す入力部を備えるカード１０の場合、少なくとも該入力部１２の摩耗・汚れ、或いは入力時の動作等によって暗証番号として使用する数字が第三者に知られることは困難である。
【００５６】
次に、入力部１２の第２の実施例について図５を用いて説明する。図５に示すカード１０において、表示部１６は、予めカード表面に記された上記０から９の数字若しくはこの数字の近傍を発光させることで各々の数字を指し示すことを特徴としている。この場合、表示部１６は、例えばＬＥＤ（Light Emitting Diode）のような発光手段であって、所定の数字を示すように発光する。表示部１６は、０から９へ、又は９から０へ順番に順次発光されてもよいし、不規則な順序で発光されてもよい。また、発光期間も同様に一定でも不規則でもよい。
【００５７】
この場合、入力部１２は、選択ボタン「Ｓ」と消去ボタン「Ｅ」とを備えているが、選択の際に用いられる入力部１２のボタンは、「Ｓ」１つである。各表示部１６は、順番に、或いは不規則に発光するため、カードの所有者は、所望とする数字が指し示されたときに選択ボタンを押せばよい。この場合、暗証番号としての文字列の選択に際して、常に同じ箇所が押されるため、ボタンの摩耗・汚れ、或いは入力時の動作等によって暗証番号として使用する数字が第三者に知られることは困難である。
【００５８】
続いて、入力部１２の第３の実施例について図６を用いて説明する。図６に示すカード１０において、表示部１６は、１０個の数字のうち１つの数字を表示することを特徴としている。表示部１６は、１０個の数字を順番に表示してもよいし不規則に表示してもよい。利用者は、所望の数字が表示されたときに入力部１２の選択ボタン「Ｓ」を押すことによって、所望の数字を選択することができる。
【００５９】
この場合も、入力部１２は、数字の選択に際して、常に１つのボタンが押されるのみであるため、少なくとも摩耗・汚れ、或いは入力時の動作等によって第三者に暗証番号として使用する数字が知られることは困難である。
【００６０】
上述した３つの実施例は、表示部１６の視野角を狭く設定することによって、暗証番号を入力する際の秘匿性を更に高めることが可能である。
【００６１】
なお、本発明は、携帯端末としてのカード自身に暗証番号の入力機能をもたせた点に特徴を有するものであるため、カード１０とホストコンピュータ２０との間の信号の送受信における暗号化方法は、特に限定されず、現在汎用の暗号化原理、公開鍵暗号方式等の暗号化原理が適用可能である。暗号化方法の一例としては、認証装置としてのホストコンピュータ２０からカード１０に対して送信される乱数とカード１０の暗証番号とを所定の規則のもとで演算して得られた値をカード１０のホストコンピュータ２０に対する暗号鍵とするものが考えられる。
【００６２】
ここでは、具体的に、ホストコンピュータ２０が発生する乱数が２０桁であり、カード１０の暗証番号が４桁であり、更にカード１０の情報暗号化部１４において暗証番号と乱数とから４桁の値を認証用情報として生成する場合を説明する。
【００６３】
ホストコンピュータ２０からカード１０に対して送信された２０桁の数字を５桁の数字からなる４組の数字に並び換える並べ方は、２０！通り、すなわち約２．４×１０１８通りある。また、このとき２０桁の数字を５桁の４つの数字に並び換える規則としては、例えば、最初の５桁の数字の１番目は２０桁の乱数の１９桁目の数字とし、２番目は３桁目の数字とし、３番目は、１７桁目の数字とし、４番目は５桁目の数字とし、５番目は１５桁目の数字として５桁の数字を決める方法等が考えられる。
【００６４】
次に５桁の数字からなる４組の数字の各々に４桁の数字からなる暗証番号の１桁ずつを挿入して６桁の数字を作る。６カ所の挿入可能な位置に対して、どの位置に挿入するかを決める。このときの挿入の仕方は、（１０×６）４通り、つまり約１．３×１０７通りが考えれる。
【００６５】
ここでは更に、２０桁からなる乱数から５桁からなる数字を４つ決めておき前段階で作成された６桁の数字と掛け合わせる。掛け合わせる際の掛け合わせ方は、（１０５）４通り、すなわち１０２０通りが考えられる。この掛け合わせによって、１１桁又は１２桁の数字が４組得られる。
【００６６】
次に、この１１桁又は１２桁の数字の下１０桁のなかから任意の１桁を抽出する。４組の数字についてこの操作を行って抽出された４つ数字を組み合わせ、この数字を４桁の認証用情報とする。この選び方は、１０４通りあることになる。
【００６７】
したがって、上述のような極めて単純な場合であっても、２０桁の乱数と４桁の暗証番号の混合によって、約３．１×１０４９通りの認証用情報が得られることになる。尚かつ、最終的に認証用情報とする値は、４桁であって比較的小さい値であるので、たとえ上述した暗号化ための演算が分かったとしても、数〜数十回のスキミングで各数値を逆算することは困難であるといえる。
【００６８】
このように認証システム１におけるカード１０の入力部１２によれば、利用者が認証用文字列としての暗証番号を入力する際の秘匿性が向上する。
【００６９】
続いて、上述した認証システム１を適用して行われる決済の具体例を図７乃至図８を用いて説明する。カード所有者が店頭にて購入した商品に対してカードを使用して決済する場合について、図７を用いて示す。カード所有者５０は、販売店５１において商品を選択する（行程７１）。購入する商品が決まると、販売店５１では、カード所有者が会計する際にパーソナルコンピュータ（以下、ＰＣと記す。）等の専用のネットワーク端末５２をカード発行会社５３に接続し（行程７２）、商品の内容と金額情報とを送信する（行程７３）。カード所有者５０は、購入する商品の商品情報（商品の内容と金額情報）を確認し（行程７４）、カード５４に暗証番号を入力する（行程７５）。暗証番号が入力されたカード５４は、専用のネットワーク端末５２に接続される（行程７６）。このとき、上述した決済プロセスが実行される。決済が完了するとカード発行会社５３から決済完了レシートが送信される（行程７７）。
【００７０】
この場合、カード所有者がカードに対して暗証番号を入力する際、第三者の目の届かないところで入力が可能である。また、決済の過程でカード５４が販売店員の手に渡ることがあるが、このとき暗証番号を入力したカードを見られたとしても、入力した形跡から第三者が暗証番号を不正取得することは困難である。また、仮にカードがすり替えられたとしても、暗号化に使用される暗号化情報が通信毎に固有であるため、そのとき暗号化されて生成された認証用情報は、その通信以外では無効になる。したがって、第三者が不正に個人情報を取得することは困難である。
【００７１】
次に、カード所有者が高級飲食店等においてカードを使用して決済する場合について、図８を用いて示す。ここでは、高級飲食店での決済として説明するが図８に示す決済の形態は、一般に、カード５４が、一旦、給仕等の第三者の手に渡る場合を想定している。カード所有者５０は、給仕の提示する料金明細書等を確認しチップ等の金額を記入する（行程８１）。また、カード５４に対して暗証番号を入力（行程８２）して、料金明細書とともにカード５４を給仕に渡す（行程８３）。給仕５５は、カード所有者からカード５４を受け取ると、販売店（飲食店）５１に設置されたＰＣ等の専用のネットワーク端末５２をカード発行会社５３に接続し、商品情報（商品の内容と金額情報）とを送信する（行程８４）。続いて、カード所有者５０から預かったカード５４をネットワーク端末５２に接続する（行程８５）。ここで、上述した決済プロセスが実行される（行程８６）。決済が完了するとカード発行会社５３から決済完了レシートが送信される（行程８７）。給仕５５は、決済完了レシートとともに、カード５４をカード所有者５０のもとへ返却する（行程８８）。
【００７２】
この場合もまた、カード所有者がカードに対して暗証番号を入力する際、第三者の目の届かないところで入力が可能である。また、決済の過程でカード５４が第三者の手に渡ることがあるが、このとき暗証番号を入力したカードを見られたとしても、入力した形跡から第三者が暗証番号を不正取得することは困難である。また、仮にカードがすり替えられたとしても、暗号化に使用される暗号化情報が通信毎に固有であるため、そのとき暗号化されて生成された認証用情報は、その通信以外では無効になる。したがって、第三者が不正に個人情報を取得することは困難である。
【００７３】
次に、カード所有者がカードを使用して、いわゆるインターネットを介して決済する場合について、図９を用いて示す。ここでは、インターネットに接続されるＰＣ等の端末がカード５４を装着してカードの情報を読み出せる読出装置を備えているものとする。ここでは、主としてカード所有者５０が自宅のＰＣ等を使用する場合を想定しているが、店頭等に設置されたインターネットに接続されたＰＣ等を使用する場合も含まれる。カード所有者５０は、インターネットに接続されたＰＣ等のネットワーク端末５６を介して、販売店５１において販売されている商品をインターネット上から選択する（行程９１）。続いて、カード所有者５０は、サービスを受けているカード発行会社を選択する（行程９２）。続いて、カード所有者５０は、商品情報（商品の内容と金額情報）を送信する（行程９３）。商品情報は、販売店５１を介してもカード発行会社５３に送信される。カード所有者５０は、商品情報を確認する（行程９４）。カード所有者５０は、カード５４に対して暗証番号を入力する（行程９５）。ここで、上述の決済プロセスが実行される（行程９６）。カード発行会社５３からは、決済完了を示す情報が送信される（行程９７）。
【００７４】
この場合、カード所有者がカードに対して暗証番号を入力する際、第三者の目の届かないところで入力が可能である。特に、ＰＣが店頭等に設置され不特定多数の利用者が利用するものであり、ＰＣ内部に何らかの形で個人情報が残されたり、インターネットによる情報の送受信の過程で個人情報が盗聴されたりする不都合があったとしても、暗号化に使用される暗号化情報が通信毎に固有であるため、そのとき暗号化されて生成された認証用情報は、その通信以外では無効になる。したがって、第三者が不正に個人情報を取得することは困難である。
【００７５】
上述したように、本発明の一構成例として示す認証システム１を専用のネットワークを介して行われる信用販売制度及び口座間即時決済等に適用した際、利用者が認証用文字列としての暗証番号を入力する際の秘匿性が向上する。また、サービス利用者のカード利用における信頼性に対する不安が払拭されることにより、いわゆるクレジットカードを利用する信用販売制度、キャッシュカードを利用する口座間即時決済、通信端末を利用してインターネット等の任意のネットワークを介して行われる電子商取引等の利用者が増加するとともに市場が拡大され、事業としての採算性が向上される。
【００７６】
また、本発明は上述した実施の形態のみに限定されるものではなく、本発明の要旨を逸脱しない範囲において種々の変更が可能であることは勿論である。例えば、本発明の一構成例として示した認証システム１では、携帯端末が符号化回路を備えたカードとして説明したが、携帯端末としては、カードのほかにＰＤＡ（Personal Digital Assistant）、携帯型電話機、携帯型ＰＣ等であってもよい。携帯型電話機、或いはＰＤＡ、ＰＣに格納される個人情報等は、クレジットカード、デビットカードにおけるカード情報と同様に第三者に漏洩しては困る情報である。携帯型電話機を使って上述したような決済が行われる場面は、容易に想定される。例えば、使用者がある店舗で買い物をした後、自らが所有する携帯型電話機に記憶される個人情報等を用いて決済を行う場合等である。この場合もまた、図１に示す処理によって認証装置との間で認証が行われる。
【００７７】
したがって、カード以外の携帯端末を用いた認証システムであっても、サービスの提供者が利用者を認証するまでの過程において、第三者が端末情報や個人情報を不正に取得することを困難にすることができる。
【００７８】
【発明の効果】
以上詳細に説明したように、本発明に係る認証システムは、携帯端末と携帯端末とは独立して設けられ携帯端末との間で通信する認証装置とから構成される認証システムにおいて、携帯端末は、携帯端末を識別するための第１の識別情報が予め記憶された第１の識別情報記憶手段と、第１の識別情報に対応付けられた第２の識別情報を入力するための操作手段と、操作手段によって入力された上記第２の識別情報を所定の暗号生成情報に基づいて暗号化する暗号化手段と、認証装置との通信を行う第１の通信手段とを備え、認証装置は、第１の識別情報と第２の識別情報とが記憶される第２の識別情報記憶手段と、暗号生成情報を発生する暗号生成情報発生手段と、携帯端末との通信を行う第２の通信手段と、暗号化手段によって暗号化された第２の識別情報を暗号生成情報に基づいて比較し認証する比較認証手段とを備える。
【００７９】
以上のような認証システムは、携帯端末において、操作手段により入力された第２の識別情報を第１の通信手段を介して認証装置から受信した暗号生成情報に基づいて暗号化し、暗号化された第２の識別情報を第１の通信手段を介して認証装置に送信し、該認証装置において、第２の通信手段を介して受信した暗号化された第２の識別情報と第２の識別情報記憶手段に記憶された第２の識別情報とを暗号生成情報に基づいて比較し認証する。
【００８０】
したがって、本発明に係る認証システムによれば、サービスの提供者が利用者を認証するまでの過程において、第三者が利用者の個人情報を不正に取得することが困難になる。
【００８１】
特に、本発明に係る認証システムを専用のネットワークを介して行われる信用販売制度及び口座間即時決済、又はインターネット等の任意のネットワークを介して行われる電子商取引等に適用した際、利用者が認証用文字列としての暗証番号を入力する際の秘匿性が向上する。
【００８２】
さらに、本発明に係る認証システムによれば、サービス利用者のカード利用における信頼性に対する不安が払拭されることにより、いわゆるクレジットカードを利用する信用販売制度、キャッシュカードを利用する口座間即時決済、通信端末を利用してインターネット等の任意のネットワークを介して行われる電子商取引等の利用者が増加し、事業としての採算性が向上する。
【００８３】
また、本発明に係る認証方法は、第１の識別情報記憶手段に予め記憶された携帯端末を識別するための第１の識別情報に対応付けられた第２の識別情報を入力する操作工程と、暗号生成情報を発生する暗号生成情報発生工程と、操作工程において入力された第２の識別情報を暗号生成情報発生工程において発生された暗号生成情報に基づいて暗号化する暗号化工程と、暗号化工程において暗号化された第２の識別情報を暗号生成情報に基づいて比較し認証する比較認証工程とを備える。
【００８４】
以上のような認証方法では、操作工程において入力された第２の識別情報が暗号化工程において暗号生成情報に基づいて暗号化され、暗号化された第２の識別情報と第２の識別情報記憶手段に記憶された第２の識別情報とが暗号生成情報に基づいて比較され認証される。
【００８５】
したがって、本発明に係る認証方法によれば、サービスの提供者が利用者を認証するまでの過程において、第三者が利用者の個人情報を不正に取得することが困難になる。
【００８６】
特に、本発明に係る認証方法を専用のネットワークを介して行われる信用販売制度及び口座間即時決済、又は任意のネットワークを介して行われる電子商取引等に適用した際、利用者が認証用文字列としての暗証番号を入力する際の秘匿性が向上する。
【００８７】
さらに、本発明に係る認証方法によれば、サービス利用者のカード利用における信頼性に対する不安が払拭されることにより、いわゆるクレジットカードを利用する信用販売制度、キャッシュカードを利用する口座間即時決済、通信端末を利用してインターネット等の任意のネットワークを介して行われる電子商取引等の利用者が増加し、事業としての採算性が向上する。
【００８８】
また、本発明に係る暗号入力装置は、所定の文字群に含まれる文字の組み合わせから構成される所定数の文字列を認証用文字列とする暗号入力装置において、所定の文字群に含まれる文字を不規則に表示する表示手段と、表示手段に不規則に表示される文字のなかから認証用文字列を構成する文字を選択するための選択手段とを備える。
【００８９】
以上のような暗号入力装置は、表示手段に不規則に表示された所定の文字群に含まれる文字のなかから認証用文字列を構成する文字を選択手段において選択する。
【００９０】
したがって、本発明に係る暗号入力装置によれば、利用者が暗号を入力するする過程において、第三者が利用者の個人情報を不正に取得することが困難になる。
【００９１】
特に、本発明に係る暗号入力装置を専用のネットワークを介して行われる信用販売制度及び口座間即時決済、又は任意のネットワークを介して行われる電子商取引等に使用される携帯端末、特に、カードの入力部に適用した際、利用者が認証用文字列としての暗証番号を入力する際の秘匿性が向上する。
【００９２】
さらに、本発明に係る暗号入力装置によれば、サービス利用者のカード利用における信頼性に対する不安が払拭されることにより、いわゆるクレジットカードを利用する信用販売制度、キャッシュカードを利用する口座間即時決済、通信端末を利用してインターネット等の任意のネットワークを介して行われる電子商取引等の利用者が増加し、事業としての採算性が向上する。
【００９３】
本発明に係る暗号入力方法は、所定の文字群に含まれる文字を不規則に表示する表示工程と、表示工程において不規則に表示される文字のなかから認証用文字列を構成する文字を選択する選択工程とを備える。
【００９４】
以上のような暗号入力方法では、表示工程において不規則に表示される所定の文字群のなかから認証用文字列を構成する文字が選択工程において選択される。
【００９５】
したがって、本発明に係る暗号入力方法によれば、利用者が暗号を入力する過程において、第三者が利用者の個人情報を不正に取得することが困難になる。
【００９６】
特に、本発明に係る暗号入力方法を専用のネットワークを介して行われる信用販売制度及び口座間即時決済、又は任意のネットワークを介して行われる電子商取引等に使用される携帯端末、特に、カード入力部での入力方法として適用した際、利用者が認証用文字列としての暗証番号を入力する際の秘匿性が向上する。
【００９７】
さらに、本発明に係る暗号入力方法によれば、サービス利用者のカード利用における信頼性に対する不安が払拭されることにより、いわゆるクレジットカードを利用する信用販売制度、キャッシュカードを利用する口座間即時決済、通信端末を利用してインターネット等の任意のネットワークを介して行われる電子商取引等の利用者が増加し、事業としての採算性が向上する。
【００９８】
本発明に係る携帯端末は、認証装置によって認証される携帯端末において、携帯端末を識別するための第１の識別情報が予め記憶された第１の識別情報記憶手段と、第１の識別情報に対応付けられた第２の識別情報を入力するための操作手段と、認証装置との通信を行う通信手段と、操作手段によって入力された第２の識別情報を上記通信手段を介して認証装置から送られる所定の暗号生成情報に基づいて暗号化する暗号化手段とを備える。
【００９９】
以上のような携帯端末は、操作手段において入力された第１の識別情報に対応付けられた第２の識別情報を通信手段を介して認証装置から送られる所定の暗号生成情報に基づいて暗号化手段において暗号化する。
【０１００】
したがって、本発明に係る携帯端末によれば、利用者が暗号を入力する過程において、第三者が利用者の個人情報を不正に取得することが困難になる。
【０１０１】
特に、本発明に係る携帯端末を専用のネットワークを介して行われる信用販売制度及び口座間即時決済、又は任意のネットワークを介して行われる電子商取引等に使用される携帯端末に適用した際、利用者が認証用文字列としての暗証番号を入力する際の秘匿性が向上する。
【０１０２】
さらに、本発明に係る携帯端末によれば、サービス利用者のカード利用における信頼性に対する不安が払拭されることにより、いわゆるクレジットカードを利用する信用販売制度、キャッシュカードを利用する口座間即時決済、通信端末を利用してインターネット等の任意のネットワークを介して行われる電子商取引等の利用者が増加し、事業としての採算性が向上する。
【０１０３】
本発明に係る認証システムは、携帯端末と携帯端末とは独立して設けられ携帯端末との間で通信する認証装置とから構成される認証システムにおいて、携帯端末は、携帯端末を識別するための第１の識別情報が記憶された第１の識別情報記憶手段と、所定の文字群に含まれる文字を不規則に表示する表示手段と表示手段に不規則に表示される文字のなかから第２の識別情報を構成する文字を選択するための選択手段とを有し、第１の識別情報に対応付けられた第２の識別情報を入力するための操作手段と、操作手段によって入力された第２の識別情報を所定の暗号生成情報に基づいて暗号化する暗号化手段と、認証装置との通信を行う第１の通信手段とを備え、認証装置は、第１の識別情報と第２の識別情報とを記憶した第２の識別情報記憶手段と、暗号生成情報を発生する暗号生成情報発生手段と、携帯端末との通信を行う第２の通信手段と、暗号化手段によって暗号化された第２の識別情報を暗号生成情報に基づいて比較し認証する比較認証手段とを備える。
【０１０４】
以上のような認証システムは、操作手段により入力された第２の識別情報を第１の通信手段を介して認証装置から受信した暗号生成情報に基づいて暗号化し、暗号化された第２の識別情報を第１の通信手段を介して認証装置に送信し、該認証装置において、第２の通信手段を介して受信した暗号化された第２の識別情報と第２の識別情報記憶手段に記憶された第２の識別情報とを暗号生成情報に基づいて比較し認証する。
【０１０５】
したがって、本発明に係る認証システムによれば、サービスの提供者が利用者を認証するまでの過程において、第三者が利用者の個人情報を不正に取得することが困難になる。
【０１０６】
特に、本発明に係る認証システムを専用のネットワークを介して行われる信用販売制度及び口座間即時決済、又は任意のネットワークを介して行われる電子商取引等に適用した際、利用者が認証用文字列としての暗証番号を入力する際の秘匿性が向上する。
【０１０７】
さらに、本発明に係る認証システムによれば、サービス利用者のカード利用における信頼性に対する不安が払拭されることにより、いわゆるクレジットカードを利用する信用販売制度、キャッシュカードを利用する口座間即時決済、通信端末を利用してインターネット等の任意のネットワークを介して行われる電子商取引等の利用者が増加し、事業としての採算性が向上する。
【図面の簡単な説明】
【図１】本発明の一構成例として示す認証システムにおいて、認証装置が携帯端末を認証する処理を説明するフローチャートである。
【図２】本発明の一構成例として示す認証システムの構成を説明する構成図である。
【図３】本発明の一構成例として示す認証システムの別の構成を説明する構成図である。
【図４】本発明の一構成例として示す認証システムにおける携帯端末としてのカードの外観を示す外観図である。
【図５】本発明の一構成例として示す認証システムにおける携帯端末としてのカードの外観を示す外観図である。
【図６】本発明の一構成例として示す認証システムにおける携帯端末としてのカードの外観を示す外観図である。
【図７】カード所有者が店頭にて購入した商品に対してカードを使用して決済する場合を説明する模式図である。
【図８】カード所有者が高級飲食店等においてカードを使用して決済する場合を説明する模式図である。
【図９】カード所有者がＰＣ等のネットワーク端末を介して、インターネット上で決済する場合を説明する模式図である。
【符号の説明】
１  認証システム、１０  カード、１１  ＩＤ用メモリ、１２  入力部、１３カード側インターフェイス、１４  情報暗号化部、１５  一時記憶部、１６  表示部、１７  カード制御部、２０  ホストコンピュータ、２１  ホスト側インターフェイス、２２  乱数生成部、２３  カードＩＤ／認証用文字列記憶部、２４  情報復号部、２５  復号認証用文字列比較認証部、２６  ホスト制御部、２７  ホスト側情報暗号化部、２８  暗号認証用情報文字列比較認証部
【図１】
0004839516.tif 000002
【図２】
0004839516.tif 000003
【図３】
0004839516.tif 000004
【図４】
0004839516.tif 000005
【図５】
0004839516.tif 000006
【図６】
0004839516.tif 000007
【図７】
0004839516.tif 000008
【図８】
0004839516.tif 000009
【図９】
0004839516.tif 000010